(57)【要約】【課題】白色を含む４色画像データを用いて画像を表示する場合に、簡易な構成で同時対比による表示への悪影響を抑制する。【解決手段】液晶装置（１００）は、白色を含む４つのサブ画素からなる表示画素を用いて表示を行う表示手段（３０）と、一の画素（ＡＧ５）の明度と、一の画素の周辺に位置する他の画素（ＡＧ１−ＡＧ４、ＡＧ６−ＡＧ９）の明度との差が所定の閾値以上である場合に、一の画素の明度を調整する調整手段（６１２１、６１２２）と、明度が調整された３色画像データを、４色画像データに変換する変換手段（６１２３）とを備える。【選択図】図５
2009192665.tif 000002
【特許請求の範囲】
【請求項１】
少なくとも白色表示用のサブ画素を含む４つのサブ画素からなる表示画素を用いて表示
を行う表示手段に対して、４色画像データを出力する画像処理装置において、
前記表示手段を構成する複数の表示画素のうちの一の表示画素に対応する３色画像デー
タが規定する明度と、該一の表示画素の周辺に位置する他の表示画素に対応する前記３色
画像データが規定する明度との差が所定の閾値以上である場合に、前記一の表示画素に対
応する前記３色画像データの明度を調整する調整手段と、
前記明度が調整された前記３色画像データを、前記４色画像データに変換する変換手段
と
を備えることを特徴とする画像処理装置。
【請求項２】
前記調整手段は、前記明度を増加させるように前記明度を調整することを特徴とする請
求項１に記載の画像処理装置。
【請求項３】
前記調整手段は、前記一の表示画素に対応する前記３色画像データの色相角が所定値で
ある場合には、前記一の表示画素に対応する３色画像データが規定する明度と前記他の表
示画素に対応する前記３色画像データが規定する明度との差が所定の閾値以上である場合
であっても、前記一の表示画素に対応する前記３色画像データの明度を調整しないことを
特徴とする請求項１又は２に記載の画像処理装置。
【請求項４】
前記所定値は、０°、１２０°及び２４０°の少なくとも１つであることを特徴とする
請求項３に記載の画像処理装置。
【請求項５】
前記調整手段は、前記一の表示画素に対応する前記３色画像データの色相角に応じて、
前記一の表示画素に対応する前記３色画像データの明度の調整量を決定することを特徴と
する請求項１から４のいずれか一項に記載の画像処理装置。
【請求項６】
前記調整手段は、前記一の表示画素に対応する前記３色画像データの色相角が２４０°
から３６０°の範囲にある場合には、前記一の表示画素に対応する前記３色画像データの
色相角が黄色を示す色相角に近づくほど、前記調整量を大きくすることを特徴とする請求
項５に記載の画像処理装置。
【請求項７】
前記調整手段は、前記一の表示画素に対応する前記３色画像データの色相角が０°から
１２０°の範囲にある場合には、前記一の表示画素に対応する前記３色画像データの色相
角がマゼンダを示す色相角に近づくほど、前記調整量を大きくすることを特徴とする請求
項５又は６に記載の画像処理装置。
【請求項８】
前記調整手段は、前記一の表示画素に対応する前記３色画像データの色相角が１２０°
から２４０°の範囲にある場合には、前記一の表示画素に対応する前記３色画像データの
色相角がシアンを示す色相角に近づくほど、前記調整量を大きくすることを特徴とする請
求項５から７のいずれか一項に記載の画像処理装置。
【請求項９】
前記調整手段は、前記一の表示画素に対応する前記３色画像データの色相角が黄色を示
す色相角である場合の前記調整量を、前記一の表示画素に対応する前記３色画像データの
色相角がマゼンダ又はシアンを示す色相角である場合の前記調整量よりも大きくすること
を特徴とする請求項５から８のいずれか一項に記載の画像処理装置。
【請求項１０】
前記調整手段は、前記一の表示画素に対応する前記３色画像データの色相角がマゼンダ
を示す色相角である場合の前記調整量を、前記一の表示画素に対応する前記３色画像デー
タの色相角がシアンを示す色相角である場合の前記調整量よりも大きくすることを特徴と
する請求項５から９のいずれか一項に記載の画像処理装置。
【請求項１１】
前記４つのサブ画素は、前記白色表示用のサブ画素に加えて、赤色表示用のサブ画素、
緑色表示用のサブ画素及び青色表示用のサブ画素を含み、
前記３色画像データは、赤色データ、緑色データ及び青色データを表示画素毎に含み、
前記４色画像データは、赤色データ、緑色データ、青色データ及び白色データを表示画
素毎に含むことを特徴とする請求項１から１０のいずれか一項に記載の画像処理装置。
【請求項１２】
少なくとも白色表示用のサブ画素を含む４つのサブ画素からなる表示画素を用いて表示
を行う表示手段に対して、４色画像データを出力する画像処理方法において、
前記表示手段を構成する複数の表示画素のうちの一の表示画素に対応する３色画像デー
タが規定する明度と、該一の表示画素の周辺に位置する他の表示画素に対応する前記３色
画像データが規定する明度との差が所定の閾値以上である場合に、前記一の表示画素に対
応する前記３色画像データの明度を調整する調整工程と、
前記明度が調整された前記３色画像データを、前記４色画像データに変換する変換工程
と
を備えることを特徴とする画像処理方法。
【請求項１３】
少なくとも白色表示用のサブ画素を含む４つのサブ画素からなる表示画素を用いて表示
を行う表示手段と、
前記表示手段を構成する複数の表示画素のうちの一の表示画素に対応する３色画像デー
タが規定する明度と、該一の表示画素の周辺に位置する他の表示画素に対応する前記３色
画像データが規定する明度との差が所定の閾値以上である場合に、前記一の表示画素に対
応する前記３色画像データの明度を調整する調整手段と、
前記明度が調整された前記３色画像データを、前記４色画像データに変換する変換手段
と
を備えることを特徴とする表示装置。
【発明の詳細な説明】
【技術分野】
【０００１】
本発明は、例えば画像データに対して所定のデータ処理を行う画像処理装置及び画像処
理方法、並びにこのような画像処理装置を備える液晶装置等の表示装置の技術分野に関す
る。
【背景技術】
【０００２】
この種の電気光学装置として、一対の素子基板及び対向基板間に、電気光学物質の一例
である液晶が挟持される液晶装置が一例としてあげられる。素子基板上における複数の表
示画素が配列されてなる画素領域には、走査線及びデータ線の交差に対応して画素電極を
含む画素部が形成されることにより、複数の画素部がマトリクス状に平面配列される。そ
して、各画素部には、画素スイッチング素子として、例えば薄膜トランジスタ（Thin Fil
m Transistor；以下適宜、「ＴＦＴ」と称する）が含まれる。電気光学装置の駆動時、各
画素部において、走査線より走査信号が供給されることにより画素スイッチング素子がオ
ン状態となると、データ線より画素スイッチング素子を介して画素電極に画像信号が供給
される。また、典型的には、複数の画素電極に対応して、画素領域の概ね全体に、複数の
画素部に共通に共通電極（或いは、対向電極）がベタ状に形成されている。そして、液晶
装置の駆動時には、画素電極と共通電極との間の電位差に基づく印加電圧が液晶に印加さ
れる。その結果、液晶の配向や秩序が制御され、画像表示が可能となる。
【０００３】
このような液晶装置においては、画素電極に対応する領域に赤色（Ｒ）、緑色（Ｇ）及
び青色（Ｂ）のカラーフィルタを配置することで、各画素（サブ画素）が色相を表示でき
る（つまり、色表示を実現する）ように構成されている。このような色表示を行う際には
、特許文献１に開示されたように、光効率を高めるために、赤色（Ｒ）、緑色（Ｇ）及び
青色（Ｂ）に加えて、白色（Ｗ）を表示するための領域（サブ画素）を設けると共に、通
常３色の画像データを４色の画像データに変換する技術が開示されている。
【０００４】
【特許文献１】特開２００５−１９６１８４号公報
【発明の開示】
【発明が解決しようとする課題】
【０００５】
しかしながら、このような白色を表示するための領域（サブ画素）を設けると、以下の
ような技術的な問題点が生ずる。具体的には、白色と他の色（例えば、ＲＧＢ等の原色や
、Ｃ（シアン）、Ｍ（マゼンダ）及びＹ（イエロー）等の補色）が同時に表示される場合
には、ユーザに対して、この他の色がくすんで表示されたように感じさせてしまう現象が
発生する。例えば、白色の背景に原色や補色の画像が重ねて表示されると、原色や補色の
画像が暗くなったようにユーザは感じてしまう。このような現象を、以降“同時対比”と
称する。この同時対比は、ユーザが白色の表示部分を特に明るいと認識してしまうがゆえ
に生ずる現象である。
【０００６】
この同時対比による悪影響を軽減する又は解消するために、例えば白色を表示するため
の領域（サブ画素）の一部を、青色を表示するための領域（サブ画素）に置き換える技術
が本願出願人によって開発されている。しかしながら、この技術は、白色と黄色（イエロ
ー）とが同時に表示される場合に有効であり、白色と黄色以外の他の色とが同時に表示さ
れる場合にはその効果は薄れてしまう。他方で、同時対比による悪影響を軽減する又は解
消するようにバックライトを制御する技術も開発されているが、これは、このような制御
を行なうための装置の構成や処理が複雑になってしまう。
【０００７】
本発明は、例えば上述した従来の問題点に鑑みなされたものであり、例えば少なくとも
白色を含む４色画像データを用いて画像を表示する場合に、簡易な構成で同時対比による
表示への悪影響を軽減する又は解消することを可能とならしめる画像処理装置及び方法、
並びにこのような画像処理装置を備える表示装置を提供することを課題とする。
【課題を解決するための手段】
【０００８】
（画像処理装置）
本発明の画像処理装置は、少なくとも白色表示用のサブ画素を含む４つのサブ画素から
なる表示画素を用いて表示を行う表示手段に対して、４色画像データを出力する画像処理
装置において、前記表示手段を構成する複数の表示画素のうちの一の表示画素に対応する
３色画像データが規定する明度と、該一の表示画素の周辺に位置する他の表示画素に対応
する前記３色画像データが規定する明度との差が所定の閾値以上である場合に、前記一の
表示画素に対応する前記３色画像データの明度を調整する調整手段と、前記明度が調整さ
れた前記３色画像データを、前記４色画像データに変換する変換手段とを備える。
【０００９】
本発明の画像処理装置によれば、変換手段の動作により、元画像データである３色画像
データを、４つのサブ画素に対応する４色画像データに変換（色変換）することができる
。ここに、３色画像データはとは、３色の色データ（例えば、赤色（Ｒ）データ、緑色（
Ｇ）データ及び青色（Ｂ）データ）を含んでなる画像データを示す趣旨であって、典型的
には、３つのサブ画素からなる表示画素における画像表示に用いられる。また、４色画像
データとは、４色の色データ（例えば、赤色（Ｒ）データ、緑色（Ｇ）データ、青色（Ｂ
）データ及び白色（Ｗ）データ）を含んでなる画像データを示す趣旨であって、典型的に
は、４つのサブ画素からなる表示画素における画像表示に用いられる。このように変換処
理によって生成された４色画像データは、４つのサブ画素からなる表示画素を用いる表示
手段に対して表示データとして出力される。その結果、表示手段上において、画像を表示
することができる。
【００１０】
本発明では、このような変換処理の前に又は変換処理と並行して、調整手段の動作によ
り、３色画像データの明度が調整される。具体的には、一の表示画素に対する表示を行う
ための３色画像データ（つまり、３色画像データのうちの一部のデータ部分）が規定する
明度と、一の表示画素の周辺に位置する少なくとも１つの他の表示画素に対する表示を行
うための３色画像データ（つまり、３色画像データのうちの他の一部のデータ部分）が規
定する明度との差分が所定の閾値以上である場合には、一の表示画素に対する表示を行う
ための３色画像データが規定する明度が調整される。例えば、一の表示画素の明度が相対
的に小さく且つ他の表示画素の明度が相対的に高い場合或いは他の表示画素が白色を表示
する場合には、一の表示画素の明度が調整される。このとき、一の表示画素の明度の調整
に合わせて、一の表示画素の彩度も合わせて調整されることが好ましい。尚、本発明にお
ける「周辺」とは、一の表示画素の周りの領域を示す趣旨であって、例えば一の表示画素
と相隣接する或いは実質的には相隣接している領域が一例として挙げられる。具体的には
、例えばマトリクス状の画素配列であれば、「一の表示画素の周辺の他の表示画素」は、
一の表示画素を取り囲む８個の表示画素が一例としてあげられる。
【００１１】
これにより、明度が調整された画像を表示手段上に表示することができるため、仮に一
の表示画素に同時対比が発生する可能性がある場合には、該一の表示画素の明度が調整さ
れる（例えば、同時対比を感じるユーザの目の感度に応じて調整される又は同時対比によ
る悪影響が解消されるように調整される）。このため、同時対比による悪影響を軽減する
又は解消することができる。より具体的には、一の表示画素の明度が相対的に低く且つ他
の表示画素の明度が相対的に高いことに起因して一の表示画素に同時対比が発生する可能
性がある場合であっても、一の表示画素のくすみがない状態の画像をユーザに視認させる
ことができるように該一の表示画素の明度を調整することができる。このため、同時対比
による悪影響を好適に軽減する又は解消することができる。
【００１２】
更には、一の表示画素にどのような色が表示されたとしても、同時対比による悪影響を
軽減する又は解消することができる。加えて、明度の比較及び調整を行えば同時対比によ
る悪影響を軽減する又は解消することができるため、相対的に高度な構成を用いて相対的
に高度な処理を行う必要がなくなる。つまり、相対的に簡易な構成及び処理で、同時対比
による悪影響を軽減する又は解消することができる。
【００１３】
尚、一の表示画素の明度を調整することで、一の表示画素の彩度も同時に（或いは、意
図せず）調整する必要があるが、彩度に対するユーザの目の感度（特に、色の違いを感じ
るときの感度）が明度に対するユーザの目の感度と比較しても低いため、少なくとも同時
対比による悪影響を軽減する又は解消するという観点からは、彩度の調整による影響は特
段の問題にはならない程度にしか生じない。
【００１４】
本発明の画像処理装置の一の態様では、前記調整手段は、前記明度を増加させるように
前記明度を調整する。
【００１５】
この態様によれば、仮に一の表示画素に同時対比が発生する可能性がある場合であって
も、該一の表示画素の明度を増加させることができる。このため、他の表示画素が相対的
に明るいがゆえに一の表示画素が暗くなってしまうという不都合を好適に軽減する又は解
消することができる。つまり、同時対比による悪影響が解消されるように明度を好適に調
整することができる。
【００１６】
本発明の画像処理装置の一の態様では、前記調整手段は、前記一の表示画素に対応する
前記３色画像データの色相角が所定値である場合には、前記一の表示画素に対応する３色
画像データが規定する明度と前記他の表示画素に対応する前記３色画像データが規定する
明度との差が所定の閾値以上である場合であっても、前記一の表示画素に対応する前記３
色画像データの明度を調整しない。
【００１７】
この態様によれば、一の表示画素の色相角が所定値である場合には、一の表示画素の明
度が調整されないため、一の表示画素の色合いを変えることはなくなる。他方で、一の表
示画素の色相角が所定値である場合には、同時対比による悪影響の解消を優先させて一の
表示画素の明度が調整される。従って、色域（或いは、ＮＴＳＣ比）を大幅に或いは全く
変えることなく、同時対比による悪影響を好適に軽減する又は解消することができる。
【００１８】
上述の如く一の表示画素の色相角が所定値である場合に一の表示画素の明度が調整され
ない画像処理装置の態様では、前記所定値は、０°、１２０°及び２４０°の少なくとも
１つであるように構成してもよい。
【００１９】
このように構成すれば、一の表示画素の色相角が０°、１２０°又は２４０°である場
合（つまり、一の表示画素の表示色が赤色、緑色又は青色である場合）には、一の表示画
素の明度が調整されないため、一の表示画素の色合いを変えることはなくなる。従って、
色域（或いは、ＮＴＳＣ比）を大幅に或いは全く変えることなく、同時対比による悪影響
を好適に軽減する又は解消することができる。
【００２０】
本発明の画像処理装置の他の態様では、前記調整手段は、前記一の表示画素に対応する
前記３色画像データの色相角に応じて、前記一の表示画素に対応する前記３色画像データ
の明度の調整量を決定する。
【００２１】
同時対比は、白色と同時に表示される色に応じてその程度が変わる。具体的には、例え
ば、白色と黄色とが同時に表示された場合における同時対比の程度（つまり、黄色のくす
みの程度）は、白色と黄色以外の他の色とが同時に表示された場合における同時対比の程
度（つまり、黄色以外の他の色のくすみの程度）によりも大きくなることが本願発明者等
によって発見されている。
【００２２】
従って、この態様によれば、一の表示画素の色相角に応じて明度の調整量が決定される
ため、一の表示画素の色相角がどのようなものであっても、調整後にユーザに視覚される
明るさを同程度にすることができる。つまり、一の表示画素の色相角によらずに一律固定
の調整量で明度を調整するのであれば一の表示画素が逆に明るく見えてしまいかねないと
ころ、この態様によれば、一の表示画素の色相角に応じて異なる程度で発生する同時対比
を、その程度に応じて好適に軽減する又は解消することができる。
【００２３】
上述の如く一の表示画素の色相角に応じて一の表示画素の明度の調整量を決定する画像
処理装置の態様では、前記調整手段は、前記一の表示画素に対応する前記３色画像データ
の色相角が２４０°から３６０°の範囲（緑色から橙色の間の範囲）にある場合には、前
記一の表示画素に対応する前記３色画像データの色相角が黄色を示す色相角（例えば、３
１０°程度）に近づくほど、前記調整量を大きくするように構成してもよい。
【００２４】
このように構成すれば、一の表示画素の色相角に応じて異なる程度で発生する同時対比
を、その程度に応じて好適に軽減する又は解消することができる。
【００２５】
上述の如く一の表示画素の色相角に応じて一の表示画素の明度の調整量を決定する画像
処理装置の態様では、前記調整手段は、前記一の表示画素に対応する前記３色画像データ
の色相角が０°から１２０°の範囲（つまり、赤色から青色の間の範囲）にある場合には
、前記一の表示画素に対応する前記３色画像データの色相角がマゼンダを示す色相角（例
えば、５５°程度）に近づくほど、前記調整量を大きくするように構成してもよい。
【００２６】
このように構成すれば、一の表示画素の色相角に応じて異なる程度で発生する同時対比
を、その程度に応じて好適に軽減する又は解消することができる。
【００２７】
上述の如く一の表示画素の色相角に応じて一の表示画素の明度の調整量を決定する画像
処理装置の態様では、前記調整手段は、前記一の表示画素に対応する前記３色画像データ
の色相角が１２０°から２４０°の範囲（つまり、青色から緑色の間の領域）にある場合
には、前記一の表示画素に対応する前記３色画像データの色相角がシアンを示す色相角（
例えば、１８０°程度）に近づくほど、前記調整量を大きくするように構成してもよい。
【００２８】
このように構成すれば、一の表示画素の色相角に応じて異なる程度で発生する同時対比
を、その程度に応じて好適に軽減する又は解消することができる。
【００２９】
上述の如く一の表示画素の色相角に応じて一の表示画素の明度の調整量を決定する画像
処理装置の態様では、前記調整手段は、前記一の表示画素に対応する前記３色画像データ
の色相角が黄色を示す色相角である場合の前記調整量を、前記一の表示画素に対応する前
記３色画像データの色相角がマゼンダ又はシアンを示す色相角である場合の前記調整量よ
りも大きくするように構成してもよい。
【００３０】
このように構成すれば、一の表示画素の色相角に応じて異なる程度で発生する同時対比
を、その程度に応じて好適に軽減する又は解消することができる。
【００３１】
上述の如く一の表示画素の色相角に応じて一の表示画素の明度の調整量を決定する画像
処理装置の態様では、前記調整手段は、前記一の表示画素に対応する前記３色画像データ
の色相角がマゼンダを示す色相角である場合の前記調整量を、前記一の表示画素に対応す
る前記３色画像データの色相角がシアンを示す色相角である場合の前記調整量よりも大き
くするように構成してもよい。
【００３２】
このように構成すれば、一の表示画素の色相角に応じて異なる程度で発生する同時対比
を、その程度に応じて好適に軽減する又は解消することができる。
【００３３】
本発明の画像処理装置の他の態様では、前記４つのサブ画素は、前記白色表示用のサブ
画素に加えて、赤色表示用のサブ画素、緑色表示用のサブ画素及び青色表示用のサブ画素
を含み、記３色画像データは、赤色データ、緑色データ及び青色データを表示画素毎に含
み、前記４色画像データは、赤色データ、緑色データ、青色データ及び白色データを表示
画素毎に含む。
【００３４】
この態様によれば、ＲＧＢＷ表示を行う表示手段に対して４色画像データを供給するこ
とができる。その結果、ＲＧＢＷ表示を行う表示手段上において、上述した各種効果を好
適に享受することができる。
【００３５】
（画像処理方法）
本発明の画像処理方法は、少なくとも白色表示用のサブ画素を含む４つのサブ画素から
なる表示画素を用いて表示を行う表示手段に対して、４色画像データを出力する画像処理
方法において、前記表示手段を構成する複数の表示画素のうちの一の表示画素に対応する
３色画像データが規定する明度と、該一の表示画素の周辺に位置する他の表示画素に対応
する前記３色画像データが規定する明度との差が所定の閾値以上である場合に、前記一の
表示画素に対応する前記３色画像データの明度を調整する調整工程と、前記明度が調整さ
れた前記３色画像データを、前記４色画像データに変換する変換工程とを備える。
【００３６】
本発明の画像処理方法によれば、上述した本発明の画像処理装置が享受する効果と同様
の効果を好適に享受することができる。
【００３７】
尚、上述した本発明の画像処理装置における各種態様に対応して、本発明の画像処理方
法も各種態様を取ることができる。
【００３８】
（表示装置）
本発明の表示装置は、少なくとも白色表示用のサブ画素を含む４つのサブ画素からなる
表示画素を用いて表示を行う表示手段と、前記表示手段を構成する複数の表示画素のうち
の一の表示画素に対応する３色画像データが規定する明度と、該一の表示画素の周辺に位
置する他の表示画素に対応する前記３色画像データが規定する明度との差が所定の閾値以
上である場合に、前記一の表示画素に対応する前記３色画像データの明度を調整する調整
手段と、前記明度が調整された前記３色画像データを、前記４色画像データに変換する変
換手段とを備える。
【００３９】
本発明の表示装置によれば、上述した本発明の画像処理装置が享受する効果と同様の効
果を好適に享受しつつ、画像を表示することができる。つまり、上述した本発明の画像処
理装置が享受する各種効果と同様の効果を享受することができる投射型表示装置、テレビ
、携帯電話、電子手帳、携帯オーディオプレーヤ、ワードプロセッサ、デジタルカメラ、
ビューファインダ型又はモニタ直視型のビデオレコーダ、ワークステーション、テレビ電
話、ＰＯＳ端末、タッチパネルなどの各種電子機器を実現することができる。
【００４０】
尚、上述した本発明の画像処理装置における各種態様に対応して、本発明の表示装置も
各種態様を取ることができる。
【００４１】
本発明の作用及び他の利得は次に説明する実施の形態から更に明らかにされよう。
【発明を実施するための最良の形態】
【００４２】
以下、本発明を実施するための最良の形態を、図面に基づいて説明する。尚、以下では
、本発明に係る画像処理装置を、液晶装置に適用した例について説明を進める。
【００４３】
（１）液晶装置の構成
まず、図１及び図２を参照して、本実施形態に係る液晶装置１００の構成について説明す
る。
【００４４】
図１は、本実施形態に係る液晶装置１００の概略構成を模式的に示す平面図である。図
１では、紙面手前側（観察側）にカラーフィルタ基板９２が、また、紙面奥側に素子基板
９１が夫々配置されている。なお、図１では、紙面縦方向（列方向）をＹ方向と規定し、
また、紙面横方向（行方向）をＸ方向と規定する。また、図１において、Ｒ（赤）、Ｇ（
緑）、Ｂ（青）、Ｗ（透明または白色）に対応する各領域は１つのサブ画素ＳＧを示して
いると共に、ＲＧＢＷに対応する１行４列のサブ画素ＳＧは、１つの表示画素ＡＧを示し
ている。
【００４５】
図２は、液晶装置１００における切断線Ａ−Ａ´に沿った１つの表示画素ＡＧの拡大断
面図である。図２に示すように、液晶装置１００は、液晶表示パネル３０と、照明装置１
０より構成される。液晶表示パネル３０は、素子基板９１と、その素子基板９１に対向し
て配置されるカラーフィルタ基板９２とが枠状のシール材５を介して貼り合わされ、その
シール材５の内側に液晶が封入されて液晶層４が形成されてなる。液晶表示パネル３０の
素子基板９１の外面上には、液晶表示パネル３０を照明する照明装置１０が備えられる。
【００４６】
本実施形態に係る液晶装置１００は、ＲＧＢＷの４色を用いて構成されるカラー表示用
の液晶装置であると共に、スイッチング素子として例えばＴＦＴ（Thin Film Transistor
）素子を用いたアクティブマトリクス駆動方式の液晶装置である。
【００４７】
素子基板９１の平面構成について説明する。素子基板９１の内面上には、主として、複
数のデータ線（或いは、ソース線）３２、複数のゲート線３３、複数のＴＦＴ素子３７、
複数の画素電極３４、ドライバＩＣ４０、外部接続用配線３５及びＦＰＣ（Flexible Pri
nted Circuit）４１などが形成若しくは実装されている。
【００４８】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各データ線３２は、Ｙ方向に延在するように
且つＸ方向に適宜の間隔をおいて形成されており、各データ線３２の一端側は、ドライバ
ＩＣ４０の出力側の端子（図示略）に電気的に接続されている。
【００４９】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各データ線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各データ線３２と各ゲート線３３の第２配線３３ｂの交差に対応する位置にはＴＦ
Ｔ素子３７が設けられており、各ＴＦＴ素子３７は各データ線３２、各ゲート線３３及び
各画素電極３４等に電気的に接続されている。
【００５０】
各ＴＦＴ素子３７及び各画素電極３４は、ガラスなどの基板１上の各サブ画素ＳＧに対
応する位置に設けられている。各画素電極３４は、例えばＩＴＯ（Indium-Tin Oxide）な
どの透明導電材料により形成されている。なお、ここで、スイッチング素子としては、ア
モルファスＴＦＴ素子を用いてもよいし、ポリシリコンＴＦＴを用いてもよいし、或いは
ＴＦＤ（Thin Film Diode）素子を用いてもよい。
【００５１】
１つの表示画素ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。つまり、この有効表示領域Ｖが、液晶装置１００におけ
る表示画面の領域を示している。なお、有効表示領域Ｖの外側の領域は表示に寄与しない
額縁領域３８となっている。また、各データ線３２、各ゲート線３３、各ＴＦＴ素子３７
、及び各画素電極３４等の内面上には、図示しない配向膜が形成されている。
【００５２】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、Ｒ、Ｇ、Ｂの着色層６Ｒ、６Ｇ、６
Ｂと、Ｗの透明又は白色部６Ｗ及び共通電極８などを有する。なお、透明又は白色部６Ｗ
は、例えば透明樹脂によって形成された層、もしくは何も設けない層とされる。ＢＭは、
各サブ画素ＳＧを区画する位置に形成されている。ここでは、各色のサブ画素ＳＧについ
て、対応する色をカッコ付きで示している。
【００５３】
なお、以下の説明もしくは図面において、ＲＧＢの色を特定することなく構成要素を示
す場合には、単に「着色層６」のように記し、ＲＧＢの色を区別して構成要素を示す場合
には、例えば「着色層６Ｒ」のように記すこととする。
【００５４】
この着色層６Ｒ、６Ｇ、６Ｂと、透明又は白色部６Ｗがカラーフィルタを構成する。共
通電極８は、画素電極３４と同様にＩＴＯなどの透明導電材料からなり、カラーフィルタ
基板９２の略一面に亘って形成されている。共通電極８は、シール材５の隅の領域Ｅ１に
おいて配線３６の一端側と電気的に接続されていると共に、当該配線３６の他端側は、ド
ライバＩＣ４０のＣＯＭに対応する出力端子と電気的に接続されている。
【００５５】
液晶装置１００では、電子機器のメイン基板等と接続されたＦＰＣ４１側からの信号及
び電力等に基づき、ドライバＩＣ４０によって、Ｇ１、Ｇ２、・・・、Ｇｍ−１、Ｇｍ（
但し、ｍは自然数）の順にゲート線３３が順次排他的に１本ずつ選択されるとともに、選
択されたゲート線３３には、選択電圧のゲート信号が供給される一方、他の非選択のゲー
ト線３３には、非選択電圧のゲート信号が供給される。そして、ドライバＩＣ４０は、選
択されたゲート線３３に対応する位置にある画素電極３４に対し、表示内容に応じた画像
信号を、それぞれ対応するＳ１、Ｓ２、・・・、Ｓｎ−１、Ｓｎ（ｎは自然数）のデータ
線３２及びＴＦＴ素子３７を介して供給する。その結果、液晶層４の配向状態が制御され
、液晶装置１００の表示状態が、非表示状態または中間表示状態に切り替えられることと
なる。
【００５６】
次に、照明装置１０について説明する。照明装置１０は、導光板１１と光源部１２と反
射シート１４より構成される。光源部１２は、導光板１１の端面に設置されている。光源
部１２は、光源として複数のＬＥＤ１３を有している。複数のＬＥＤ１３としては、青色
ＬＥＤからの青色光でＹＡＧ（イットリウム・アルミニウム・ガーネット）系蛍光体を励
起し、それによって白色光を照射するシングルチップ方式の白色ＬＥＤを配列したものを
用いても良いし、又は、ＲＧＢの夫々の色のＬＥＤを揃えて同時に発光および混光するこ
とによって白色光を出光するマルチチップ方式のものを用いても良い。反射シート１４は
、導光板１１の液晶表示パネル３０側とは反対側の面に設置されている。
【００５７】
照明装置１０における複数のＬＥＤ１３より出光した白色光は、光源部１２より光Ｌと
して、導光板１１の端面（以下、「入光端面」と称す）１１ｃに向けて出光する。光源部
１２より出光した光Ｌは、導光板１１の入光端面１１ｃより導光板１１内へ入り、導光板
１１の出光面１１ａ、反射面１１ｂで反射を繰り返すことにより方向を変え、導光板１１
の出光面１１ａと光Ｌのなす角が臨界角を超えると、導光板１１の出光面１１ａから照明
光Ｌｔとして図示しない光学シートを介して液晶表示パネル３０へ向けて夫々出光する。
液晶装置１００は、照明光Ｌｔが液晶表示パネル３０を透過することによって照明される
。これにより、液晶装置１００は、文字、数字、図形等の画像を表示することができ、観
測者が画像を視認することができる。
【００５８】
なお、液晶装置１００としては、上述した実施形態のものには限られず、代わりに、Ｒ
ＧＢのサブ画素ＳＧ毎の画素電極３４上の一部の領域に光を反射する反射層が設けられた
半透過反射型の液晶装置を用いることとしてもよい。
【００５９】
図３は、本実施形態に係る液晶装置１００の回路構成を示す模式図である。液晶装置１
００において、入力されたＲＧＢの各色の画像信号がＲＧＢＷの各色の画像信号に変換さ
れる場合、液晶装置１００は、表示画像変換部６１２を備える。表示画像変換部６１２は
、パーソナルコンピュータなどの外部の表示画像出力源６１１より出力されたＲＧＢの各
色の画像信号を、ＲＧＢＷの各色の画像信号に変換して、液晶表示パネル３０に出力する
機能を有する。
【００６０】
表示画像変換部６１２は、例えば、ドライバＩＣ４０内部に備えられた回路であり、Ｃ
ＰＵ（Central Processing Unit）などの演算処理部６１２ａと、ＲＡＭ（Random Access
Memory）などの記憶部６１２ｂとを備えて構成されている。演算処理部６１２ａは、表
示画像出力源６１１より出力された入力画像のＲＧＢを含む３色の画像データ６１Ｒ、６
１Ｇ、６１Ｂを、ＲＧＢＷを含む４色の画像データ６２Ｒ、６２Ｇ、６２Ｂ、６２Ｗに変
換して、液晶表示パネル３０へ出力する。なお、この表示画像変換部６１２は、回路では
なく、代わりに、例えば、ドライバＩＣ４０におけるＣＰＵがプログラムを実行すること
によって実現されるとしてもよい。
【００６１】
（２）画像データの変換
続いて、図４を参照して、入力画像の３色の画像データ６１Ｒ、６１Ｇ及び６１Ｂを、
４色の画像データ６２Ｒ、６２Ｇ、６２Ｂ及び６２Ｗに変換する態様について説明する。
ここに、図４は、表示画像変換部６１２の具体的な構成を概念的に示すブロック図である
。
【００６２】
図４に示すように、表示画像変換部６１２は、同時対比判定回路６１２１と、明度調整
回路６１２２と、４色画像データ変換回路６１２３とを備えている。
【００６３】
同時対比判定回路６１２１は、本発明における「調整手段」の一具体例を構成しており
、入力される３色画像データ（６１Ｒ、６１Ｇ及び６１Ｂ）に基づいて、同時対比が生ず
る又は生ずる可能性がある画素が存在するか否かを判定する。該判定結果は、明度調整回
路６２１１に出力される。
【００６４】
明度調整回路６１２２は、本発明における「調整手段」の一具体例を構成しており、入
力される３色の画像データ（６１Ｒ、６１Ｇ及び６１Ｂ）を変換することで得られる明度
を調整する。特に、明度調整回路６１２２は、同時対比が生ずる又は生ずる可能性がある
画素に対する表示を行うための３色の画像データ（６１Ｒ、６１Ｇ及び６１Ｂ）を変換す
ることで得られる明度を調整する。
【００６５】
４色画像データ変換回路６１２２は、本発明における「変換手段」の一具体例を構成し
ており、３色の画像データ（６１Ｒ、６１Ｇ及び６１Ｂ）を、４色の画像データ（６２Ｒ
、６２Ｇ、６２Ｂ及び６２Ｗ）に変換する。ここでは、例えば、所定のテーブルや関数等
を用いることで、３色の画像データ（６１Ｒ、６１Ｇ及び６１Ｂ）を４色の画像データ（
６２Ｒ、６２Ｇ、６２Ｂ及び６２Ｗ）に変換してもよい。
【００６６】
続いて、図５を参照して、図４に示した表示画像変換部６１２のより詳細な動作につい
て説明を進める。ここに、図５は、入力画像の３色の画像データ６１Ｒ、６１Ｇ及び６１
Ｂを、表示出力用の４色の画像データ６２Ｒ、６２Ｇ、６２Ｂ及び６２Ｗに変換する処理
の流れを概念的に示すフローチャートである
図５に示すように、まず、表示画像変換部６１２に対して、入力画像データ（つまり、
元画像データ）である３色の画像データ（６１Ｒ、６１Ｇ及び６１Ｂ）が入力される（ス
テップＳ１０１）。表示画像変換部６１２に入力された３色の画像データ（６１Ｒ、６１
Ｇ及び６１Ｂ）は、同時対比判定回路６１２１及び明度調整回路６１２２の夫々に入力さ
れる。
【００６７】
続いて、同時対比判定回路６１２１の動作により、同時対比が生ずる又は生ずる可能性
がある表示画素ＡＧが存在するか否かを判定する。具体的には、３色の画像データ（６１
Ｒ、６１Ｇ及び６１Ｂ）が明度、彩度及び色相角に変換されると共に、有効表示領域Ｖを
構成する表示画素ＡＧのうちの任意の一つの注目画素における明度と、注目画素の周辺に
位置する表示画素ＡＧである周辺画素における明度との差が、所定の閾値Ｌｔｈ以上であ
るか否かが判定される（ステップＳ１０２）。
【００６８】
尚、ここで用いられる閾値Ｌｔｈは、同時対比が発生する要因や状況や発生した同時対
比の程度等に応じて、実験的、経験的、数学的又は理論的に、若しくはシミュレーション
等を用いて個別具体的に（例えば、同時対比が発生する場合の明度の差や、同時対比が発
生しないときの明度の差、同時対比を感じるユーザの個人差等に応じて）より適切な所定
の値を指定することが好ましい。典型的には、閾値Ｌｔｈとしては、特定の或いは任意の
画像を表示したときに同時対比が発生する場合の明度の差が一例としてあげられる。
【００６９】
ここで、図６及び図７を参照して、同時対比判定について説明する。ここに、図６は、
注目画素とその周辺に位置する８つの周辺画素を示す平面図であり、図７は、３色の画像
データ（６１Ｒ、６１Ｇ及び６１Ｂ）が明度、彩度及び色相角に変換される態様を、注目
画素及びその周辺に位置する８つの周辺画素と対応付けて示す平面図である。
【００７０】
図６に示すように、有効表示領域Ｖ上においてＭ×Ｎ（但し、Ｍ及びＮは１以上の整数
）のマトリクス状に配置される複数の表示画素ＡＧは、３×３のマトリクス状に配置され
る９つの表示画素毎に分割されると共に、９つの表示画素毎に同時対比判定が行われる。
言い換えれば、Ｍ×Ｎ（但し、Ｍ及びＮは１以上の整数）のマトリクス状に配置される複
数の表示画素ＡＧに対する表示を行うための３色の画像データに対して、３×３のマトリ
クス状に配置される９つの表示画素に対する表示を行うためのデータ部分毎に同時対比判
定が行われる。この場合、中心に位置する１つの表示画素ＡＧ５が注目画素となり、表示
画素ＡＧ５の周辺に位置する（具体的には、上、下、左、右、左上、右上、左下及び右下
に隣接する）８つの表示画素ＡＧ１からＡＧ４及びＡＧ６からＡＧ９が周辺画素となる。
そして、複数の表示画素ＡＧのうちの一の表示画素を注目画素とする同時対比判定が行わ
れた後には、複数の表示画素ＡＧのうちの他の表示画素を注目画素とする同時対比判定が
順次行われる。つまり、図５における動作は、注目画素を適宜変えながら、複数の表示画
素ＡＧの夫々毎に行われる。
【００７１】
尚、有効表示領域Ｖの端部（例えば、上端、下端、左端又は右端）の表示画素ＡＧが注
目画素になった場合には、周辺画素は８つある必要はない。例えば、有効表示領域Ｖの上
端の表示画素ＡＧが注目画素になった場合には、注目画素よりも上側に表示画素ＡＧが存
在していないため、注目画素の下側、左側及び右側に位置する表示画素が周辺画素として
設定されれば足りる。同様に、例えば、有効表示領域Ｖの左端の表示画素ＡＧが注目画素
になった場合には、注目画素よりも左側に表示画素ＡＧが存在していないため、注目画素
の上側、下側及び右側に位置する表示画素が周辺画素として設定されれば足りる。
【００７２】
このとき、同時対比判定回路６１２１には、図７の上部に示すように、注目画素及び周
辺画素に対する表示を行うための３色の画像データ（６１Ｒ、６１Ｇ及び６１Ｂ）が入力
される。このため、同時対比判定回路６１２１は、各行毎の３色の画像データ（６１Ｒ、
６１Ｇ及び６１Ｂ）を格納するための３つのラインメモリを備えていることが好ましい。
具体的には、同時対比判定回路６１２１は、表示画素ＡＧ１、ＡＧ２及びＡＧ３に対応す
る行に対する表示を行うための３色の画像データ（６１Ｒ、６１Ｇ及び６１Ｂ）を格納す
るためのラインメモリと、表示画素ＡＧ４、ＡＧ５及びＡＧ６に対応する行に対する表示
を行うための３色の画像データ（６１Ｒ、６１Ｇ及び６１Ｂ）を格納するためのラインメ
モリと、表示画素ＡＧ７、ＡＧ８及びＡＧ９に対応する行に対する表示を行うための３色
の画像データ（６１Ｒ、６１Ｇ及び６１Ｂ）を格納するためのラインメモリとを備えてい
ることが好ましい。尚、図７の上部においては、３色の画像データ（６１Ｒ、６１Ｇ及び
６１Ｂ）を、各色成分（つまり、ＡＧｎ（但し、ｎは１から９までの整数）＿Ｒにて示さ
れるＲデータ成分、ＡＧｎ＿Ｇにて示されるＧデータ成分及びＡＧｎ＿Ｂにて示されるＢ
データ成分）毎に且つ表示画素ＡＧ毎に示している。
【００７３】
図７に示すように、同時対比判定回路６１２１においては、３色の画像データ（６１Ｒ
、６１Ｇ及び６１Ｂ）が、表示画素ＡＧ毎に、明度（ＡＧｎ＿Ｌ）、彩度（ＡＧｎ＿Ｃ）
及び色相角（ＡＧｎ＿ｈ）に変換される。ここでの変換式は、既存の変換式を用いてもよ
い。
【００７４】
その後、注目画素における明度ＡＧ５＿Ｌと、周辺画素における明度ＡＧ１＿ＬからＡ
Ｇ４＿Ｌ及びＡＧ６＿ＬからＡＧ９＿Ｌの夫々との差が所定の閾値Ｌｔｈ以上であるか否
かが判定される。つまり、ＡＧｘ（但し、ｘは１から４及び６から９の整数）＿Ｌ−ＡＧ
５＿Ｌ≧Ｌｔｈであるか否かが判定される。
【００７５】
再び図５において、ステップＳ１０２における判定の結果、注目画素における明度ＡＧ
５＿Ｌと周辺画素における明度ＡＧｘ＿Ｌとの差が、所定の閾値Ｌｔｈ以上ではない（つ
まり、ＡＧｘ＿Ｌ−ＡＧ５＿Ｌ≧Ｌｔｈでない）と判定された場合には（ステップＳ１０
２：Ｎｏ）、当該注目画素の明度ＡＧ５＿Ｌの調整は行われることはない。
【００７６】
他方、ステップＳ１０２における判定の結果、注目画素における明度ＡＧ５＿Ｌと周辺
画素における明度ＡＧｘ＿Ｌとの差が、所定の閾値Ｌｔｈ以上である（つまり、ＡＧｘ＿
Ｌ−ＡＧ５＿Ｌ≧Ｌｔｈである）と判定された場合には（ステップＳ１０２：Ｙｅｓ）、
続いて、同時対比判定回路６１２１の動作により、注目画素における色相角ＡＧ５＿ｈが
０°、１２０°又は２４０°であるか否かが判定される（ステップＳ１０３）。つまり、
注目画素における色合いが、原色としての赤色、緑色又は青色であるか否かが判定される
。
【００７７】
ステップＳ１０３における判定の結果、注目画素における色相角ＡＧ５＿ｈが０°、１
２０°又は２４０°であると判定された場合には（ステップＳ１０３：Ｙｅｓ）、当該注
目画素の明度ＡＧ５＿Ｌの調整は行われることはない。
【００７８】
他方、ステップＳ１０３における判定の結果、注目画素における色相角ＡＧ５＿ｈが０
°、１２０°又は２４０°でないと判定された場合には（ステップＳ１０３：Ｎｏ）、注
目画素の明度ＡＧ５＿Ｌの調整が行われる（ステップＳ１０４）。具体的には、注目画素
の明度ＡＧ５＿Ｌに対して、明度を増加させるための正のオフセットが加えられることで
得られる明度が、注目画素の新たな明度ＡＧ５＿Ｌとして設定される。この場合、同時に
、注目画素の彩度ＡＧ５＿Ｃに対して、彩度を減少させるための負のオフセットが加えら
れるように構成してもよい。
【００７９】
このステップＳ１０２からステップＳ１０４の動作が、有効表示領域Ｖ上の複数の表示
画素ＡＧの夫々を順に注目画素として設定しつつ、繰り返し行われる。
【００８０】
ここで、図８を参照して、明度を増加させる正のオフセットについて説明する。ここに
、図８は、注目画素における明度を増加させる正のオフセットと注目画素における色相角
との相関を概念的に示すグラフである。
【００８１】
図８に示すように、注目画素における明度ＡＧ５＿Ｌを増加させる正のオフセットは、
注目画素における色相角ＡＧ５＿ｈに応じて適宜決定される。
【００８２】
具体的には、色相角が０°、１２０°又は２４０°である場合には、明度の調整が行わ
れないため、オフセットは０に設定されている。
【００８３】
また、色相角が０°から１２０°である場合には、色相角がマゼンダ（Ｍ）を示す色相
角（例えば、５５°程度）に近づくほど、明度のオフセットは大きくなる。つまり、色相
角が０°から５５°程度の範囲では、色相角が増加するほどオフセットが増加する一方で
、色相角が５５°程度から１２０°の範囲では、色相角が増加するほどオフセットが減少
する。
【００８４】
また、色相角が１２０°から２４０°である場合には、色相角がシアン（Ｃ）を示す色
相角（例えば、１８０°程度）に近づくほど、明度のオフセットは大きくなる。つまり、
色相角が１２０°から１８０°程度の範囲では、色相角が増加するほどオフセットが増加
する一方で、色相角が１８０°程度から２４０°の範囲では、色相角が増加するほどオフ
セットが減少する。
【００８５】
また、色相角が２４０°から３６０°である場合には、色相角が黄色（Ｙ）を示す色相
角（例えば、３１０°程度）に近づくほど、明度のオフセットは大きくなる。つまり、色
相角が２４０°から３１０°程度の範囲では、色相角が増加するほどオフセットが増加す
る一方で、色相角が３１０°程度から３６０°の範囲では、色相角が増加するほどオフセ
ットが減少する。
【００８６】
また、色相角が黄色を示す色相角である場合の明度のオフセットが、色相角が黄色以外
色を示す色相角である場合の明度のオフセットよりも大きい。つまり、色相角が黄色を示
す色相角である場合の明度のオフセットは、一番大きいオフセットである。また、色相角
がマゼンダを示す色相角である場合のオフセットは、色相角がシアンを示す色相角である
場合の明度のオフセットよりも大きい。
【００８７】
再び図５において、その後、４色画像データ変化回路６１２３の動作により、３色の画
像データ（６１Ｒ、６１Ｇ及び６１Ｂ）が、４色の画像データ（６２Ｒ、６２Ｇ、６２Ｂ
及び６２Ｗ）に変換される（ステップＳ１０５）。ここで用いられる３色の画像データは
、ステップＳ１０４における明度の調整が行われた３色の画像データ（６１Ｒ、６１Ｇ及
び６１Ｂ）である。つまり、明度の調整後、該明度、彩度及び色相角を再び３色の画像デ
ータ（６１Ｒ、６１Ｇ及び６１Ｂ）に変換することで得られる画像データである。その後
、変換により生成された４色の画像データ（６２Ｒ、６２Ｇ、６２Ｂ及び６２Ｗ）を用い
て表示動作（特に、注目画素に対する表示動作）が行われる。
【００８８】
このように、本実施形態に係る液晶装置１００によれば、明度に対してオフセットが加
えられた３色の画像データ（６１Ｒ、６１Ｇ及び６１Ｂ）を用いて、液晶パネル３０上に
画像を表示することができる。従って、仮に注目画素に同時対比が発生する可能性がある
場合であっても、該注目画素の明度を増加させた後に４色の画像データ（６２Ｒ、６２Ｇ
、６２Ｂ及び６２Ｗ）への変換及び表示が行われるため、同時対比による悪影響を軽減す
る又は解消することができる。具体的には、注目画素の明度が相対的に低く且つ周辺画素
の明度が相対的に高い（例えば、周辺画素が白表示である）ことに起因して、注目画素に
同時対比が発生する（つまり、ユーザにとって、注目画素がくすんだように見えてしまう
）可能性がある場合であっても、注目画素の明度を増加させることで、注目画素にくすみ
がない状態の画像をユーザに視認させることができる。また、図５における動作が、有効
表示領域Ｖ上の複数の表示画素ＡＧの夫々を順に注目画素として設定しつつ、繰り返し行
われる（つまり、有効表示領域Ｖの全面に渡って行われる）ため、液晶パネル３０に表示
される画像全体としても、その一部が不自然にくすんだ画像としてユーザに視認されてし
まう不都合を好適に抑制することができる。
【００８９】
加えて、注目画素の明度と周辺画素の明度と比較及び注目画素の明度の調整を行えば同
時対比による悪影響を軽減する又は解消することができるため、相対的に高度な構成を用
いて相対的に高度な処理を行う必要がなくなる。例えば、同時対比による悪影響を軽減す
る又は解消するために、照明装置１０から出光する光Ｌを複雑に制御する必要はない。つ
まり、本実施形態に係る液晶装置１００の構成を相対的に簡易にすることができると共に
、相対的に簡易な処理で同時対比による悪影響を軽減する又は解消することができる。
【００９０】
加えて、色相角が０°、１２０°又は２４０°である場合には、明度の調整が行われな
いため、ＲＧＢについての色合いが変更されることはない。従って、色域（或いは、ＮＴ
ＳＣ比）を変えることなく、同時対比による悪影響を好適に軽減する又は解消することが
できる。
【００９１】
更に、注目画素の色相角ＡＧ５＿ｈに応じて注目画素の明度ＡＧ５＿Ｌに加えるオフセ
ットが決定されるため、注目画素の色相角ＡＧ５＿ｈがどのような角度であっても（言い
換えれば、注目画素にどのような色合いが表示されたとしても）、液晶パネル３０に表示
される画像に対してユーザが感じる明るさを同程度にすることができる。言い換えれば、
白色と同時に表示される色に応じて同時対比の程度（強弱）は変わるものの、本実施形態
に係る液晶装置１００によれば、注目画素の色相角ＡＧ５＿ｈに応じて異なる程度で発生
する同時対比を、その程度に応じて好適に軽減する又は解消することができる。つまり、
注目画素の色相角ＡＧ５＿ｈによらずに一律固定のオフセットを明度ＡＧ５＿Ｌに加える
のであれば注目画素が逆に明るく見えてしまいかねないところ、本実施形態に係る液晶装
置１００によれば、注目画素の色相角ＡＧ５＿ｈに応じて異なる程度で発生する同時対比
を、その程度に応じて好適に軽減する又は解消することができる。
【００９２】
より具体的には、例えば、白色と黄色とが同時に表示された場合における同時対比の程
度（つまり、黄色のくすみの程度）は、白色と黄色以外の他の色とが同時に表示された場
合における同時対比の程度（つまり、黄色以外の他の色のくすみの程度）によりも大きく
なる。この場合であっても、本実施形態に係る液晶装置１００によれば、注目画素の色相
角ＡＧ５＿ｈが黄色を示す色相角である場合に加えるオフセットが相対的に大きいため、
注目画素の色相角ＡＧ５＿ｈに応じて異なる程度で発生する同時対比を、その程度に応じ
て好適に軽減する又は解消することができる。
【００９３】
また、同時対比による悪影響を軽減する又は解消するために特定の色を表示するための
サブ画素ＳＧを新たに（言い換えれば、別個独立に）配置する構成をとる必要がないため
、注目画素にどのような色合いが表示されたとしても、同時対比による悪影響を軽減する
又は解消することができる。
【００９４】
尚、図８に例示した明度に加えられるオフセットはあくまで一例であり、これに限定さ
れないことは言うまでもない。この場合、オフセットは、同時対比が発生する要因や状況
や発生した同時対比の程度等に応じて、実験的、経験的、数学的又は理論的に、若しくは
シミュレーション等を用いて個別具体的に（例えば、同時対比が発生する場合の明度の差
や、同時対比が発生しないときの明度の差や、同時対比を感じるユーザの個人差等に応じ
て）より適切な所定の値を指定することが好ましい。
【００９５】
（３）電子機器
続いて、図９及び図１０を参照しながら、上述の液晶装置１００を具備してなる電子機
器の例を説明する。
【００９６】
図９は、上述した液晶装置１００が適用されたモバイル型のパーソナルコンピュータの
斜視図である。図９において、コンピュータ１２００は、キーボード１２０２を備えた本
体部１２０４と、上述した液晶装置１００を含んでなる液晶表示ユニット１２０６とから
構成されている。液晶表示ユニット１２０６は、液晶装置１００の背面にバックライトを
付加することにより構成されている。
【００９７】
次に、上述した液晶装置１００を携帯電話に適用した例について説明する。図１０は、
電子機器の一例である携帯電話の斜視図である。図１０において、携帯電話１３００は、
複数の操作ボタン１３０２とともに、半透過反射型の表示形式を採用し、且つ上述した液
晶装置１００と同様の構成を有する液晶装置１００５を備えている。
【００９８】
これらの電子機器においても、上述した液晶装置１００を含んでいるため、上述した各
種効果を好適に享受することができる。
【００９９】
尚、図９及び図１０を参照して説明した電子機器の他にも、液晶テレビ、ビューファイ
ンダ型又はモニタ直視型のビデオテープレコーダ、カーナビゲーション装置、ページャ、
電子手帳、電卓、ワードプロセッサ、ワークステーション、テレビ電話、ＰＯＳ端末、タ
ッチパネルを備えた直視型の表示装置や、液晶プロジェクタ等の投射型の表示装置等が挙
げられる。そして、これらの各種電子機器に適用可能なのは言うまでもない。
【０１００】
本発明は、上述した実施例に限られるものではなく、請求の範囲及び明細書全体から読
み取れる発明の要旨或いは思想に反しない範囲で適宜変更可能であり、そのような変更を
伴なう画像処理装置及び方法、並びに表示装置もまた本発明の技術的範囲に含まれるもの
である。
【図面の簡単な説明】
【０１０１】
【図１】本実施形態に係る液晶装置の概略構成を模式的に示す平面図である。
【図２】液晶装置における切断線Ａ−Ａ´に沿った１つの表示画素の拡大断面図である。
【図３】本実施形態に係る液晶装置の回路構成を示す模式図である。
【図４】表示画像変換部の具体的な構成を概念的に示すブロック図である。
【図５】入力画像の３色の画像データを、表示出力用の４色の画像データに変換する処理の流れを概念的に示すフローチャートである。
【図６】注目画素とその周辺に位置する８つの周辺画素を示す平面図である。
【図７】３色の画像データが明度、彩度及び色相角に変換される態様を、注目画素及びその周辺に位置する８つの周辺画素と対応付けて示す平面図である。
【図８】注目画素における明度を増加させる正のオフセットと注目画素における色相角との相関を概念的に示すグラフである。
【図９】液晶装置が適用されたモバイル型のパーソナルコンピュータの斜視図である。
【図１０】液晶装置が適用された携帯電話の斜視図である。
【符号の説明】
【０１０２】
３０…液晶パネル、１００…液晶装置、６１２…表示画像変換部、６１２１…同時対比
判定回路、６１２２…明度調整回路、６１２３…４色画像データ変換回路
【図１】
2009192665.tif 000003
【図２】
2009192665.tif 000004
【図３】
2009192665.tif 000005
【図４】
2009192665.tif 000006
【図５】
2009192665.tif 000007
【図６】
2009192665.tif 000008
【図７】
2009192665.tif 000009
【図８】
2009192665.tif 000010
【図９】
2009192665.tif 000011
【図１０】
2009192665.tif 000012